(57)【特許請求の範囲】
【請求項１】
研削ロ−ル（１）を除糠スクリ−ン（２）により囲繞して研削ロ−ル（１）と除糠スクリ−ン（２）の間に形成した精穀室（３）内に、その精穀室（３）の供給がわから玄米を送り込み排出がわから白米を取り出すもので、該精穀室（３）の供給がわと排出がわの中途部で、前記研削ロ−ル（１）の下周りがわ又は下周りがわから上向き回転がわにかけての間を、研削ロ−ル（１）の回転軸芯と交差する弧状のストッププレ−ト（４）により閉塞したことを特徴とする横形研削式精穀機の精白装置。
【請求項２】
ストッププレ−ト（４）を研削ロ−ル（１）の回転軸芯方向に所定の間隔をあけて複数個設けたことを特徴とする請求項１．記載の横形研削式精穀機の精白装置。
【請求項３】
ストッププレ−ト（４）に対面する研削ロ−ル（１）の周面部分に、平滑面を有するスペ−サ（５）を設けてあることを特徴とする請求項１．または請求項２．記載の横形研削式精穀機の精白装置。
【請求項４】
除糠スクリ−ン（２）を弧状体の複数個のものに分割し、その分割せる除糠スクリ−ン（２）を可変フラップ（６）（７）をそれぞれ備えたフラップ台（８）（８）を介し互いに連結して研削ロ−ル（１）を囲繞するものにおいては、ストッププレ−ト（４）を可変フラップ（６）と可変フラップ（７）とを結ぶ円周線（Ｐ）上に合致させてあることを特徴とする請求項１．または請求項２．記載の横形研削式精穀機の精白装置。
【請求項５】
回転後行到達がわの可変フラップ（７）を回転先行到達がわの可変フラップ（６）より長く形成してあることを特徴とする請求項４．記載の横形研削式精穀機の精白装置。
【発明の詳細な説明】
【０００１】
【発明の属する技術分野】
本発明は、横形研削式精穀機の精穀室内における米粒の充填度合いを均等に高めて精白作用を有効にし高性能のものにするところの精白装置に関するものである。
【０００２】
【従来の技術】
従来の横形研削式精穀機は例示するまでもなく、研削ロ−ルを除糠スクリ−ンにより囲繞して形成した精穀室の供給がわに送穀ロ−ルを内蔵する送穀室を連設し排出がわに加圧弁を有する白米出口を設けるとともに精穀室内に可変フラップを装備して、精穀室内に送り込まれた米粒に攪拌反転作用を与えながら精白している。
【０００３】
【発明が解決しようとする課題】
したがって従来の横形研削式精穀機における精穀室内の米粒の充填度は低く精白作用が有効に行われず高性能化に難点があった。
【０００４】
【課題を解決するための手段】
そこで、本発明は前項に記載の難点を解消するもので、研削ロ−ルを除糠スクリ−ンにより囲繞して研削ロ−ルと除糠スクリ−ンの間に形成した精穀室内に、その精穀室の供給がわから玄米を送り込み排出がわから白米を取り出すもので、該精穀室の供給がわと排出がわの中途部で、前記研削ロ−ルの下周りがわ又は下周りがわから上向き回転がわにかけての間を、研削ロ−ルの回転軸芯と交差する弧状のストッププレ−トにより閉塞することにより、排出がわに流動しようとする米粒に堰止作用を与えて滞留させるので精穀室における供給がわ内の充填度合いが高まり精白作用が有効に行われる。
【０００５】
そのとき、ストッププレ−トを研削ロ−ルの回転軸芯方向に所定の間隔をあけて複数個設けると、精穀室内の米粒の充填度合いが均等に高まり精白作用を一層増進し能率が上がる。
【０００６】
また、ストッププレ−トに対面する研削ロ−ルの周面部分に、平滑面を有するスペ−サを設けることによって、米粒が噛み込まれることがなく砕米などの損傷粒が発生しないのである。
【０００７】
そして、除糠スクリ−ンを弧状体の複数個のものに分割し、その分割せる除糠スクリ−ンを可変フラップをそれぞれ備えたフラップ台を介し互いに連結して研削ロ−ルを囲繞するものにおいては、ストッププレ−トを可変フラップと可変フラップとを結ぶ円周線上に合致させることによって、ストッププレ−トにより滞留して密度の高くなったものが可変フラップに引き継がれて調節されるから可変フラップによる調節効果が大になる。
【０００８】
更に、回転後行到達がわの可変フラップを回転先行到達がわの可変フラップより長く形成することにより、ストッププレ−トにより滞留させられて密度の高くなったものの調節幅が大になって調節作用が有効に行われる。
【０００９】
【発明の実施の形態】
【実施例】
以下、本発明による精白装置について実施例図にしたがって説明すると、（１）・・・は研削ロ−ル、（２）は除糠スクリ−ン、（３）は研削ロ−ル（１）・・・を除糠スクリ−ン（２）により囲繞して研削ロ−ル（１）・・・と除糠スクリ−ン（２）の間に形成される精穀室、（９）は送穀ロ−ル（１０）を内蔵した送穀室で、送穀室（９）は精穀室（３）の供給がわに連通連設して精穀室（３）内に玄米を送り込み、（１１）は排出がわに取り付けた押え金で、送穀ロ−ル（１０）とによって研削ロ−ル（１）・・・を互いに接合し研削ロ−ル（１）・・・と送穀ロ−ル（１０）と共に回転軸（１２）に一体的に軸着され、（１３）は除糠スクリ−ン（２）の外側周りに形成された排糠室であって、送風パイプ（１４）から矢印（イ）のように送入される風は送穀ロ−ル（１０）と研削ロ−ル（１）の空洞内を通って噴風口（１５）から除糠風となって精穀室（３）内に吹き出し、排糠室（１３）内には矢印（ロ）のように吸引排出風が吹流する構成になっている。
【００１０】
（１６）は送穀室（９）への玄米供給用のホッパ−、（１７）と（１８）は排出がわに設けた操作部（１９）の操作により開閉するシャッタ−と送穀室（９）への供給量の調節弁であり、（２０）は精穀室（３）の排出がわの底部に設けた白米出口で、ウエイト付きの圧力蓋（２１）が装着されて平常時はこの圧力蓋（２１）により閉状態になっている。
【００１１】
また、（２２）は排出がわの機壁（２３）の外側に添設されて精穀室（３）内の白米を取り出す白米取出ケ−スで、その上部がわは両側に延長し、その各延長部を吸入口（２４）（２４）を通して前記吸引排出風が吹流する排糠室（１３）の上部に連通している。
【００１２】
また、この白米取出ケ−ス（２２）の上下中間部は前記回転軸（１２）を支承する軸受部（２５）の周りを取り囲むように両側に分岐して、その分岐した下部がわは前記白米出口（２０）から出る白米を受ける白米取出樋（２６）内の両側部分に連通させている。
【００１３】
そして、前記研削ロ−ル（１）の上周りがわに対応する機壁（２３）部分で、前記白米取出ケ−ス（２２）が分岐して軸受部（２５）を跨ぐ両側部分に白米吐出口（２７）（２７）を開口し、精穀室（３）の排出がわを白米取出ケ−ス（２２）内に連通させている。
【００１４】
また、精穀室（３）の排出がわで研削ロ−ル（１）と一体となって回転する押え金（１１）の前記白米吐出口（２７）の脇を通過する端面部分の周りにこの研削ロ−ル（１）の空洞内からの風を吹出させる数個の吐風口（２８）を開口し、その各吐風口（２８）の回転先行がわには棒状の排出羽根（２９）が一体的に斜設されている。
【００１５】
図６〜図８は除糠スクリ−ン（２）の他の実施例のものを示してあって、研削ロ−ル（１）・・・の上周りがわと下周りがわとをそれぞれ囲繞する半円筒体の上側スクリ−ン（２ａ）と下側スクリ−ン（２ｂ）とに分割し、その各端部を折曲して折曲部の間に可変フラップ（６）と（７）をそれぞれ列設するフラップ台（８）と（８）を介入連結し円筒形にして前記の精穀室（３）を形成している。
【００１６】
尚、可変フラップ（６）は軸（３０）を支点にして矢印（ハ）のように、また、可変フラップ（７）は軸（３１）を支点にして同様に回動調節可能になっている。
【００１７】
次に、（４）は精穀室（３）の供給がわと排出がわの中途部において、図４と図５に示すように、研削ロ−ル（１）の下周りがわ又は下周りがわから上向き回転がわにかけての間における除糠スクリ−ン（２）上に研削ロ−ル（１）の回転軸芯と交差させて設けた弧状のストッププレ−トであって、このストッププレ−ト（４）に対面する研削ロ−ル（１）がわの部分は研削ロ−ル（１）と（１）とによって挟扼された平滑面を有するスペ−サ（５）を対接させて閉塞し、ストッププレ−ト（４）により精穀室（３）の下周りがわ又は下周りがわから上向き回転がわにかけて精穀室（３）内を供給がわと排出がわとに仕切っている。
【００１８】
また、図示してはないが、前記のストッププレ−ト（４）を研削ロ−ル（１）の回転軸芯方向に所定の間隔をあけて複数設けたものにするとよいのである。
【００１９】
この場合、除糠スクリ−ン（２）を分割する他の実施例のものでは、図７と図８のように、フラップ台（８）と（８）との間の下側スクリ−ン（２ｂ）上、又は下側スクリ−ン（２ｂ）上から上側スクリ−ン（２ａ）上にかけて連続状態にし、一部分を残して精穀室（３）内を供給がわと排出がわに仕切っている。
【００２０】
そして、（３２）は前記ストッププレ−ト（４）から一定の間隔をおいて供給がわと排出がわの除糠スクリ−ン（２）の部分に設けたリング状の固定フラップで、この固定フラップ（３２）は研削ロ−ル（１）の周面と間隔をもたせて米粒が供給がわから排出がわに通過可能なものにしてある。また、この固定フラップ（３２）は他の実施例のものでは、フラップ台（８）（８）によって下側スクリ−ン（２ｂ）上のものと上側スクリ−ン（２ａ）上のものとに中断されている。
【００２１】
また、前記のストッププレ−ト（４）と固定フラップ（３２）は前記の除糠スクリ−ン（２）を分割する前述の他の実施例のものでは、フラップ台（８）（８）に列設するそれぞれの可変フラップ（６）と（７）を結ぶ円周線（Ｐ）上に合致させ、且つ、研削ロ−ル（１）の回転後行到達がわの可変フラップ（７）を回転先行到達がわの可変フラップ（６）よりも長く形成してある。
【００２２】
これにより、ホッパ−（１６）内から送穀室（９）に供給される玄米は送穀ロ−ル（１０）により連続的に精穀室（３）内に送り込まれ研削ロ−ル（１）の回転によって精白作用を受けるのである。
【００２３】
そして、この精白作用の間においては、リング状の固定フラップ（３２）によって排出がわへの流動阻止作用が与えられ、また、可変フラップ（６）（７）によって流動抵抗と排出がわへの誘導が調整されて米粒に対して攪拌反転の作用が与えられながら、ストッププレ−ト（４）により研削ロ−ル（１）の下周りがわ又は下周りがわから上向き回転がわにかけての米粒の密度の高いものが堰止作用を受け滞留させられて精穀室（３）内における充填度合いが高まり精白作用が有効に行なわれ、その充填度合いを高める堰止作用はストッププレ−ト（４）にスペ−サ（５）を対接させたことによって米粒が噛み込まれないようになり、精白作用によって生じた糠は除糠スクリ−ン（２）から排糠室（１３）に漏出して該室（１３）内を吹流する吸引排出風により機外に排出されるのである。
【００２４】
また、白米は排出がわの白米吐出口（２７）（２７）から出て白米取出ケ−ス（２２）内に落下し、その落下していく過程でこのケ−ス（２２）内を矢印（ニ）のように吹き上げる吸引排出風によって白米に付着する糠は除去され、この除去される糠は白米取出ケ−ス（２２）内を上昇して吸入口（２４）（２４）から排糠室（１３）に入り除糠スクリ−ン（２）から漏出した糠と合流して排出され、吸引排出風により付着糠が除去されたところの白米は白米取出樋（２６）の両側部分から流下して取り出される。
【００２５】
尚、前記の白米吐出口（２７）から出る白米は回転する排出羽根（２９）によって白米吐出口（２７）がわに押しやられながら押え金（１１）に開口する吐風口（２８）から吹出する風によって白米吐出口（２７）から円滑に白米取出ケ−ス（２２）内に出て落下するようになり、また、前記白米出口（２０）の圧力蓋（２１）は平常時は閉状態になっているが、精穀室（３）内に送り込まれる玄米の過多等によって精穀室（３）内の圧力が異常に高くなると、その精穀室（３）内の内圧によって開き白米出口（２１）からも白米を流出させるのである。
【００２６】
そして、除糠スクリ−ン（２）を分割する他の実施例のものは、下側スクリ−ン（２ｂ）上に設けたストッププレ−ト（４）によって米粒が滞留させられて一層密度が高くなり、その密度の高くなったものが回転後行到達がわの可変フラップ（７）に引き継がれるようになって可変フラップ（７）による調節効果が大になる。更に、回転後行到達がわの可変フラップ（７）が回転先行到達がわの可変フラップ（６）より長く形成されて調節幅が大きくなるのである。
【００２７】
【発明の効果】
本発明は、以上説明したような形態で実施され、次に記載するような効果を奏する。
【００２８】
即ち、研削ロ−ルを除糠スクリ−ンにより囲繞して研削ロ−ルと除糠スクリ−ンの間に形成した精穀室内に、その精穀室の供給がわから玄米を送り込み排出がわから白米を取り出すもので、該精穀室の供給がわと排出がわの中途部で、前記研削ロ−ルの下周りがわ又は下周りがわから上向き回転がわにかけての間を、研削ロ−ルの回転軸芯と交差する弧状のストッププレ−トにより閉塞するものであるから、排出がわに流動しようとする米粒に堰止作用を与えて滞留させるので精穀室における供給がわ内の充填度合いが高まり精白作用が有効に行われて高性能のものを提供できる。
【００２９】
前記ストッププレ−トを研削ロ−ルの回転軸芯方向に所定の間隔をあけて複数個設けることにより、精穀室内の米粒の充填度合いが均等に高まり精白作用を一層増進し能率を上げることができる。
【００３０】
また、ストッププレ−トに対面する研削ロ−ルの周面部分に、平滑面を有するスペ−サを設けることによって、米粒が噛み込まれることがなく砕米などの損傷粒が発生しないのである。
【００３１】
そして、除糠スクリ−ンを弧状体の複数個のものに分割し、その分割せる除糠スクリ−ンを可変フラップをそれぞれ備えたフラップ台を介し互いに連結して研削ロ−ルを囲繞するものにおいては、ストッププレ−トを可変フラップと可変フラップとを結ぶ円周線上に合致させることにより、ストッププレ−トにより滞留して密度の高くなったものが可変フラップに引き継がれて調節されるから可変フラップによる調節効果が大になる。
【００３２】
更に、回転後行到達がわの可変フラップを回転先行到達がわの可変フラップより長く形成することにより、ストッププレ−トにより滞留させられて密度の高くなったものの調節幅が大になって調節作用が有効に行われる。
【図面の簡単な説明】
【図１】横形研削式精穀機の縦断側面図である。
【図２】同精穀機を排出がわから見る正面図である。
【図３】図１におけるＡ−Ａ線とＢ−Ｂ線の断面図である。
【図４】図１におけるＣ−Ｃ線の断面図である。
【図５】ストッププレ−トの他の例図を示したものである。
【図６】他の実施例のものにおけるＡ−Ａ線とＢ−Ｂ線の断面図である。
【図７】同例におけるＣ−Ｃ線の断面図である。
【図８】同例のもののストッププレ−トの他の例図を示したものである。
【図９】同例における除糠スクリ−ン部分の展開図である。
【符号の説明】
１    研削ロ−ル
２    除糠スクリ−ン
３    精穀室
４    ストッププレ−ト
５    スペ−サ
６    可変フラップ（回転先行到達がわ）
７    可変フラップ（回転後行到達がわ）
８    フラップ台
Ｐ    円周線
【図１】
0003802208.tif 000002
【図２】
0003802208.tif 000003
【図３】
0003802208.tif 000004
【図４】
0003802208.tif 000005
【図５】
0003802208.tif 000006
【図６】
0003802208.tif 000007
【図７】
0003802208.tif 000008
【図８】
0003802208.tif 000009
【図９】
0003802208.tif 000010